(57)【要約】【課題】キートップ及び押し子側のフランジを無くしてキートップをできるだけ大きくしながら、その安定した操作性を確保する。【解決手段】筐体３の第１キー用貫通孔１１の内部にキースイッチ１２を設け、第１キー用貫通孔１１にキースイッチ１２を押圧する押し子１４ｂを設ける。この押し子１４ｂには第１キートップ１４を一体成形又は連結する。第１キートップ１４及び押し子１４ｂを筐体３の外側から取り付けた状態で、いずれかに設けた係合孔１５に、第１キー用貫通孔１１の内面から延びる抜け防止用部材１６を挿入する。【選択図】図１
2015185534.tif 000002
【特許請求の範囲】
【請求項１】
筐体のキー用貫通孔の内部に設けたキースイッチと、該キー用貫通孔に挿通され、該キースイッチを押圧する押し子と、該押し子をキースイッチ側へ押圧するキートップとを有する電子機器において、
上記キートップ及び押し子は、一体成形又は連結されており、上記筐体の外側から取り付けられた状態で、上記キートップ又は押し子に設けた係合孔に、上記キー用貫通孔の内面から延びる抜け防止用部材が挿入されている
ことを特徴とする電子機器。
【請求項２】
請求項１に記載の電子機器において、
上記係合孔の内周と上記抜け防止用部材との間で上記キートップの最大ストロークよりも大きな隙間が設けられている
ことを特徴とする電子機器。
【請求項３】
請求項１又は２に記載の電子機器において、
上記抜け防止用部材は、板金よりなり、板金の一端側が上記キー用貫通孔の内面に嵌合され、他端が上記係合孔に挿入されている
ことを特徴とする電子機器。
【請求項４】
請求項１から３のいずれか１つに記載の電子機器において、
上記キースイッチと上記押し子との間の上記キー用貫通孔には、防水パッキンが挟持され、
上記防水パッキンも上記筐体の外側から挿入可能である
ことを特徴とする電子機器。
【請求項５】
請求項１から４のいずれか１つに記載の電子機器において、
上記キートップは、一対の押し子が連結されたシーソー型のキートップであり、
上記一対の押し子の係合孔にそれぞれ上記抜け防止用部材の差込部が挿入されている
ことを特徴とする電子機器。
【発明の詳細な説明】
【技術分野】
【０００１】
本発明は、指等で操作するキートップと、該キートップが押圧されたときに内部のキースイッチを押圧する押し子とを有する、特に携帯電話機などの小型の電子機器に関するものである。
【背景技術】
【０００２】
従来より、開口部が形成された筐体と、この筐体の開口部から露出し且つ押下可能な押下面と、この押下面から立ち上がる側面と、この側面に形成され且つ周辺部品の有する凸部が挿入される凹部と、押し子とを有するキーと、この押し子が当接することで動作するスイッチとを備えることは知られている（例えば、特許文献１参照）。
【先行技術文献】
【特許文献】
【０００３】
【特許文献１】特開２０１３−２４７６５５号公報
【発明の概要】
【発明が解決しようとする課題】
【０００４】
このような電子機器では、従来から主として以下の構造が取られている。まず、図１２に示すように、この電子機器２０１では、キートップ２１４に抜け止め用のフランジ２１４ａが設けられている場合には、キートップ２１４を筐体２０３の外側から取り付けることができないので、筐体２０３の分割面にキートップ２１４を設ける必要がある。その場合、見映えが悪くなると共に、図１２のように断面の外形ラインが湾曲した形状を有していると、フランジ２１４ａを収容するスペースを確保するために電子機器２０１の厚さを薄くできない。
【０００５】
図１３の電子機器３０１のように筐体３０３は分割せずに筐体３０３の内部からキートップ３１４を嵌め込む場合、キートップ３１４の抜け止めをするには押し子３１４ｂ側に抜け止め用のフランジ３１４ａが必要となる。すると、貫通孔３１１の大きさを大きく保つことができず、キートップ３１４を小さくせざるを得なくなって操作性が悪化する。
【０００６】
図１４の電子機器４０１のように、キートップ４１４を外側から嵌め込んだ後に別部品４１５で外側から筐体４０３側に押し付けるようにすれば、筐体４０３と別部品４１５との間に分割面４１６ができて見映えが悪くなる。
【０００７】
本発明は、かかる点に鑑みてなされたものであり、その目的とするところは、キートップ及び押し子側のフランジを無くしてキートップをできるだけ大きくしながら、その安定した操作性を確保することにある。
【課題を解決するための手段】
【０００８】
上記の目的を達成するために、この発明では、筐体側に設けた抜け防止用部材で、キートップ及び押し子の抜け止めを行うようにした。
【０００９】
具体的には、本発明では、筐体のキー用貫通孔の内部に設けたキースイッチと、該キー用貫通孔に挿通され、該キースイッチを押圧する押し子と、該押し子をキースイッチ側へ押圧するキートップとを有する電子機器において、
上記キートップ及び押し子は、一体成形又は連結されており、上記筐体の外側から取り付けられた状態で、上記キートップ又は押し子に設けた係合孔に、上記キー用貫通孔の内面から延びる抜け防止用部材が挿入されている。
【００１０】
上記の構成によると、キートップ及び押し子にフランジを設けないので、キートップを大きくしながら、筐体を分割する必要が無く、見映えがよい上に、キートップの配置自由度が増え、筐体の大きさが抑えられる。また、キートップ及び押し子の抜けを防止しながらキートップのガタツキが防止される。
【発明の効果】
【００１１】
以上説明したように、本発明によれば、一体成形又は連結したキートップ及び押し子を筐体の外側から取り付けた状態で、押し子に設けた係合孔にキー用貫通孔の内面から延びる抜け防止用部材を挿入するようにしたので、キートップ及び押し子側のフランジを無くしてキートップをできるだけ大きくしながら、その安定した操作性を確保することができる。
【図面の簡単な説明】
【００１２】
【図１】実施形態１に係る携帯電話機における図２（ｂ）のＩ−Ｉ線拡大断面図である。
【図２】本発明の実施形態１及び２に係る携帯電話機を示し、（ａ）が正面図で、（ｂ）が背面図である。
【図３】本発明の実施形態１及び２に係る携帯電話機を示す分解斜視図である。
【図４】実施形態１に係るキー用貫通孔及びその周辺を拡大して示す斜視図である。
【図５】実施形態１に係るキートップを拡大して示し、（ａ）が正面側から見た斜視図で、（ｂ）が背面側から見た斜視図である。
【図６】実施形態１に係る防水パッキンを拡大して示し、（ａ）が正面側から見た斜視図で、（ｂ）が背面側から見た斜視図である。
【図７】（ａ）及び（ｂ）は、抜け防止用部材を拡大して別々の方向から見た斜視図である。
【図８】実施形態２に係るキー用貫通孔及びその周辺を拡大して示す斜視図である。
【図９】実施形態２に係る携帯電話機における図２（ｂ）のIX−IX線拡大断面図である。
【図１０】実施形態２に係る携帯電話機における図２（ｂ）のＸ−Ｘ線拡大断面図である。
【図１１】実施形態２に係るキートップを拡大して示し、（ａ）が正面側から見た斜視図で、（ｂ）が背面側から見た斜視図である。
【図１２】従来技術を示す図１相当図である。
【図１３】別の従来技術を示す図１相当図である。
【図１４】さらに別の従来技術を示す図１相当図である。
【発明を実施するための形態】
【００１３】
以下、本発明の実施形態を図面に基づいて説明する。
【００１４】
（実施形態１）
図２及び図３は本発明の実施形態１の電子機器としての携帯電話機１を示し、この携帯電話機１は、正面側に例えばタッチパネルを含む液晶表示部２を収容する筐体３を有する。この筐体３は、正面側キャビネットと背面側キャビネットとが厚さ方向で分割されるような構造ではなく、１つの樹脂成形品よりなる。その筐体３の背面側は、矩形板状の背面カバー４で覆われている。背面カバー４と筐体３との間には、例えばメイン基板５と充電池６とが収容されている。
【００１５】
本実施形態の第１サイドキー１０は、図２（ｂ）に示すように、背面から見て右側に設けられている。第１サイドキー１０は、例えばボリュームキーよりなり、図５に示すように、上側にプラスの文字１０ａが、下側にマイナスの文字１０ｂがそれぞれ施されている。第１サイドキー１０は、音量を増やすときにはプラス側を、減らすときはマイナス側を押すようになったシーソー式スイッチよりなる。
【００１６】
図１及び図４に示すように、筐体３には、一対の第１キー用貫通孔１１が設けられている。この一対の第１キー用貫通孔１１は、筐体３の側面に設けた長円形状の第１キートップ用凹部３ａに間隔を空けてそれぞれ貫通形成されている。
【００１７】
図３に示すように、一対の第１キー用貫通孔１１の内部には、それぞれに対応する押圧式の一対のキースイッチ１２が配置されている。これら一対のキースイッチ１２の信号は、第１フレキシブル基板１３を介してメイン基板５に伝達されるようになっている。
【００１８】
図５に示すように、第１キートップ１４では、表面の文字１４ａの反対側（奥側）に押し子１４ｂがそれぞれ一体に形成されている。この押し子１４ｂは、第１キー用貫通孔１１に挿通されるが、押し子１４ｂの先端とキースイッチ１２との間には、防水パッキン１８が嵌め込まれている。これにより、第１キー用貫通孔１１の外部から内部へ液体等が入り込まないようになっている。防水パッキン１８は、図６に示すように、中心に押圧部１８ａが膨出している。押し子１４ｂと防水パッキン１８とが第１キー用貫通孔１１に挿通された状態で、第１キートップ１４を押圧することで、押圧部１８ａが対応するキースイッチ１２を押圧するようになっている。本実施形態では、第１キートップ１４及び押し子１４ｂは一体成形されているが、別々に成形して接着、嵌め込み等により連結されていてもよい。本実施形態では、この押し子１４ｂの部分に携帯電話機１の厚さ方向に貫通した係合孔１５が形成されている。
【００１９】
一方、図１に示すように、筐体３の正面側（ガラスカバー２ａの裏側）には、抜け防止用部材１６を挿入するための挿入孔１７が形成されている。図７に示すように、抜け防止用部材１６は、例えば、金属製のプレス成形品よりなり、先端に延びる差込部１６ａと反対側の膨出部１６ｂとを備え、挿入孔１７に差込部１６ａ側から差し込んで、膨出部１６ｂを圧入するようにして固定されるようになっている。
【００２０】
すなわち、第１キートップ１４を筐体３の外側から第１キートップ用凹部３ａに押さえ付けた状態で、各押し子１４ｂ及び防水パッキン１８が第１キー用貫通孔１１に挿通され、正面側からその係合孔１５に抜け防止用部材１６の差込部１６ａがそれぞれ挿入される。
【００２１】
このように、第１キートップ１４及び押し子１４ｂにはフランジを設けないので、第１キートップ１４を大きくしながら、筐体３を分割する必要が無く、見映えがよい上に、第１キートップ１４の配置自由度が増え、筐体３の大きさが抑えられる。そして、第１キートップ１４及び押し子１４ｂの抜けを防止しながら第１キートップ１４のガタツキが防止される。
【００２２】
図１に示すように、係合孔１５の内周と抜け防止用部材１６との間で第１キートップ１４の最大ストロークよりも大きな隙間ｘが設けられている。このため、押し子１４ｂがキースイッチ１２を押圧するためのストロークを稼ぎながら、第１キートップ１４の抜け止め及びガタツキを効果的に達成することができる。
【００２３】
本実施形態では、抜け防止用部材１６は板金よりなり、その板金の膨出部１６ｂが第１キー用貫通孔１１の内面の挿入孔１７に嵌合されると共に、差込部１６ａが係合孔１５に挿入されているが、この抜け防止用部材１６は、板金製のため、薄くても剛性を確保できるので、筐体３が大型化しない。
【００２４】
本実施形態では、第１キートップ１４は、一対の押し子１４ｂが連結されたシーソー型の第１キートップ１４であり、一対の押し子１４ｂの係合孔１５にそれぞれ抜け防止用部材１６の差込部１６ａが挿入されている。このため、狭いスペースでそれぞれのキースイッチ１２の操作性を確保することができる。
【００２５】
本実施形態では、キースイッチ１２と押し子１４ｂとの間の第１キー用貫通孔１１に防水パッキン１８を挟持するようにしているが、この防水パッキン１８も筐体３の外側から挿入可能としている。このため、図１３のように押し子１４ｂ側にもフランジを設ける必要が無いので、防水パッキン１８も筐体３の外側から嵌め込むことができ、極めて組立性がよい。
【００２６】
したがって、本実施形態に係る携帯電話機１によると、第１キートップ１４及び押し子１４ｂ側のフランジを無くして第１キートップ１４をできるだけ大きくしながら、その安定した操作性を確保することができる。
【００２７】
（実施形態２）
図８〜図１１は本発明の実施形態２を示し、キートップの形状及びキースイッチ１２の個数が異なる点で上記実施形態１と異なる。なお、本実施形態では、図１〜図７と同じ部分については同じ符号を付してその詳細な説明は省略する。
【００２８】
本実施形態の第２サイドキー１１０は、図２（ｂ）に示すように筐体３の背面から見て左側に設けられている。図１１に示すように、第２サイドキー１１０の第２キートップ１１４は、例えば電源キーよりなり、上下中央に突条１１４ａが施され、この突条１１４ａを指で押すようになっている。本実施形態では、図８に示すように、筐体３の第２キートップ用凹部１０３ａには、１つの第２キー用貫通孔１１１と２つの凹陥部１０３ｂが形成されている。
【００２９】
本実施形態では、図９にも示すように、凹陥部１０３ｂの内側には、キースイッチ１２は配置されておらず、係合孔１５は、押し子の役割を果たさない突起１１４ｃ（図１１参照）に設けられている。そして、図１０に示すように、上下中央に設けた押し子１１４ｂ側には、抜け防止用部材１６が挿入されていない。
【００３０】
このように押し子１１４ｂの係合孔ではなく、第２キートップ１１４の突起１１４ｃに設けた係合孔１５に抜け防止用部材１６の差込部１６ａを差し込んでも、上記実施形態１と同様に第２キートップ１１４の押圧時のストロークは確保しながらもガタツキは防止される。
【００３１】
したがって、本実施形態に係る第２サイドキー１１０においても、第２キートップ１１４及び押し子１１４ｂ側のフランジを無くして第２キートップ１１４をできるだけ大きくしながら、その安定した操作性を確保することができる。
【００３２】
（その他の実施形態）
本発明は、上記実施形態について、以下のような構成としてもよい。
【００３３】
すなわち、上記実施形態では、電子機器は、携帯電話機１としたが、タブレット端末、ＰＨＳ（Personal Handy-phone System）、ＰＤＡ(PersonalDigital Assistant)、パソコン、モバイルツール、電子辞書、電卓、ゲーム機等であってもよく、特に小型の液晶ディスプレイ、液晶テレビ、ブルーレイ（ＤＶＤ）レコーダ等であってもよい。
【００３４】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３５】
１      携帯電話機（電子機器）
２      液晶表示部
３      筐体
３ａ    第１キートップ用凹部
４      背面カバー
５      メイン基板
６      充電池
１０      第１サイドキー
１０ａ    文字
１０ｂ    文字
１１      第１キー用貫通孔
１２      キースイッチ
１３      第１フレキシブル基板
１４      第１キートップ
１４ａ    文字
１４ｂ    押し子
１５      係合孔
１６      抜け防止用部材
１６ａ    差込部
１６ｂ    膨出部
１７      挿入孔
１８      防水パッキン
１８ａ    押圧部
１０３ａ    第２キートップ用凹部
１０３ｂ    凹陥部
１１０      第２サイドキー
１１１      第２キー用貫通孔
１１４      第２キートップ
１１４ａ    突条
１１４ｂ    押し子
１１４ｃ    突起
【図１】
2015185534.tif 000003
【図２】
2015185534.tif 000004
【図３】
2015185534.tif 000005
【図４】
2015185534.tif 000006
【図５】
2015185534.tif 000007
【図６】
2015185534.tif 000008
【図７】
2015185534.tif 000009
【図８】
2015185534.tif 000010
【図９】
2015185534.tif 000011
【図１０】
2015185534.tif 000012
【図１１】
2015185534.tif 000013
【図１２】
2015185534.tif 000014
【図１３】
2015185534.tif 000015
【図１４】
2015185534.tif 000016